(57)【要約】      （修正有）【課題】保守電話設備の機能を損なうことなく火災報知設備の受信機に非常電話設備の機能を組み込んで設置スペースを低減し、火災発信時の個別表示の回避及び火災対処と通話接続の操作性を向上した火災報知設備を提供する。【解決手段】受信機１０は施設内に引き出された信号回線１２−１に接続されたアナログ火災感知器１４により火災を監視する。受信機には保守電話回線２４の子機接続端子２６に対する保守電話子機２８の接続による着信を検出して受信機側の電話親機と通話接続する保守電話回路部６２と、非常電話回線３２に接続された非常電話子機３４からの着信を検出して電話親機と通話接続し、非常電話着信を受信制御部７０に通知して報知させる非常電話回路部６４とが設けられる。受信機の通話制御部７２は、保守電話回路部と非常電話回路部の各々による通話を制御するすると共に、保守電話子機と非常電話子機からの着信が重複したときの通話を制御する。【選択図】図１
2020119282.tif 000002
【特許請求の範囲】
【請求項１】
受信機から引き出された信号回線に接続された火災感知器により火災を監視する火災報知設備に於いて、
前記受信機に、
前記火災感知器からの火災発報信号を受信した火災発生時に所定の火災警報処理を行う受信制御部と、
前記受信機から引き出された保守電話回線に接続された保守電話子機からの着信を検出して通話接続する保守電話回路部と、
前記受信機から引き出された非常電話回線に接続された非常電話子機からの着信を検出して通話接続する非常電話回路部と、
前記保守電話回路部と前記非常電話回路部の各々による通話を制御すると共に、前記保守電話子機と前記非常電話子機の両方からの着信が重複したときの通話を制御する通話制御部と、
が設けられたことを特徴とする火災報知設備。
【請求項２】
請求項１記載の火災報知設備において、
前記通話制御部は、前記保守電話子機と前記非常電話子機の着信が重複したとき、前記保守電話子機と前記非常電話子の何れか一方又は両方と前記電話親機を通話接続することを特徴とする火災報知設備。
【請求項３】
請求項２記載の火災報知設備において、
前記通話制御部は、前記保守電話子機と前記非常電話子機の着信が重複したとき、操作部により選択された前記保守電話子機と前記非常電話子機の何れか一方と前記電話親機を通話接続し、他方に対し保留音を送信することを特徴とする火災報知設備。
【請求項４】
請求項２記載の火災報知設備において、
前記通話制御部は、前記保守電話子機と前記非常電話子機の着信が重複したとき、予め設定された優先度に従って前記保守電話子機と前記非常電話子機の何れか一方と前記電話親機を通話接続し、他方に対し保留音を送信することを特徴とする火災報知設備。
【請求項５】
請求項２記載の火災報知設備において、
前記通話制御部は、前記保守電話子機と前記非常電話子機の着信が重複したとき、操作部への操作により前記保守電話子機、前記非常電話子機及び前記電話親機を相互に通話接続することを特徴とする火災報知設備。
【請求項６】
請求項１記載の火災報知設備において、
前記受信機にはタッチパネル付きのディスプレイが設けられ、
前記受信制御部は、
前記火災発生時に前記ディスプレイに火災発生と火災発生場所を示す火災警報画面を表示し、
前記非常電話の着信時に前記ディスプレイに前記非常電話の着信と発信元を示す非常電話着信画面を表示し、
前記保守電話子機の着信を検出したときに前記ディスプレイに前記保守電話子機の保守着信と保守電話通話釦を表示し、
前記通話制御部は、
前記非常電話通話釦の操作を検出したときに前記電話親機と前記非常電話子機を通話接続し、
前記保守電話通話釦の操作を検出したときに前記電話親機と前記保守電話子機を通話接続することを特徴とする火災報知設備。
【請求項７】
請求項１乃至７の何れかに記載の火災報知設備に於いて、前記電話親機の送話器として前記受信機に設けられたマイクロホンを使用し、前記電話親機の受話器として前記受信機に設けられたスピーカを使用し、前記電話親機をハンズフリーとしたことを特徴とする火災報知設備。
【発明の詳細な説明】
【技術分野】
【０００１】
本発明は、警戒区域に設置されて火災時に取り上げることで火災発信する非常電話や保守点検時に使用される保守電話が設けられた火災報知設備に関する。
【背景技術】
【０００２】
従来、火災報知設備は受信機から引き出された信号回線に接続された火災感知器により火災を監視し、火災発生時に火災警報を出力するようにしている。
【０００３】
また、火災報知設備には保守電話設備が設けられている。保守電話設備は、受信機から引き出された保守電話回線を、感知器回線に接続された発信機に設けられた電話ジャックに接続し、保守要員が携帯している保守電話子機を発信機の電話ジャックに差し込んで接続すると受信機で保守電話の着信呼出が行われ、保守電話親機を取り上げると保守電話子機と通話接続され、受信機側の担当者に必要な連絡をとることができる。
【０００４】
また、非常用放送設備が設置される防火対象物となる施設については、非常電話設備の設置が義務付けられており、それ以外の施設にあっても、必要に応じて非常電話設備が設けられる。
【０００５】
非常電話設備は、火災報知設備における発信機と同様の機能をもつ非常電話子機を警戒区域に設置しており、非常電話子機を取り上げることで自動的に非常電話親機装置へ火災発信を行い、所定時間以内に非常用放送設備により必要な階に非常放送を行う。また、非常電話子機からの発信に対し非常電話親機を取り上げると、子機側の発信者と通話ができ、火災状況等の確認が可能となる。更に、複数の非常電話子機からの発信が重複した場合は、非常電話親機は任意に通話を選択する機能を備えていることから、同時通報があっても対応できる。
【先行技術文献】
【特許文献】
【０００６】
【特許文献１】特開２００４−０６４７０９号公報
【特許文献２】特開２０１７−００４４５１号公報
【特許文献３】特開２０１７−０６８５２３号公報
【発明の概要】
【発明が解決しようとする課題】
【０００７】
しかしながら、このような従来の保守電話設備の機能を備えた火災報知設備と非常電話設備を設けた場合には、保守電話と非常電話からの着信が重複したとき、受信機の作業者は一方としか通話できないため、他方の電話呼出は放っておくことになり、呼出の状態が続いてしまうため、呼出の音声が流れている中通話することとなり煩わしい。また、通話していない他方の電話子機では保留動作も行われないために状況が分からず子機側の電話呼出者のストレスとなっている。
【０００８】
さらに、受信機と非常電話親機装置を別々に設置していることから設置スペースが増加し、火災報知設備の発信機から発信と非常電話子機からの発信を別の火災発信として表示しているため、防災担当者等は受信機と非常電話親機装置を同じ火災発信であるにも関わらず、個別に対応しなければならず、また保守電話子機の発信に対しては保守電話親機を取り上げ、非常電話子機の発信に対しては非常電話親機を取り上げて発信者と通話する必要があり、火災発生という緊急時の操作や対処に手間と時間がかる場合がある。
【０００９】
本発明は、保守電話設備の機能を損なうことなく火災報知設備の受信機に非常電話設備の機能を組み込むことにより、設置スペースの低減、火災発信時の個別表示の回避、及び火災対処と通話接続の操作性を向上する火災報知設備を提供することを目的とする。
【課題を解決するための手段】
【００１０】
（火災報知設備）
本発明は、受信機から引き出された信号回線に接続された火災感知器により火災を監視する火災報知設備に於いて、
受信機に、
火災感知器からの火災発報信号を受信した火災発生時に所定の火災警報処理を行う受信制御部と、
受信機から引き出された保守電話回線に接続された保守電話子機からの着信を検出して通話接続する保守電話回路部と、
受信機から引き出された非常電話回線に接続された非常電話子機からの着信を検出して通話接続する非常電話回路部と、
保守電話回路部と非常電話回路部の各々による通話を制御すると共に、保守電話子機と非常電話子機の両方からの着信が重複したときの通話を制御する通話制御部と、
が設けられたことを特徴とする。
【００１１】
（保守電話子機と非常電話子機の重複着信）
通話制御部は、保守電話子機と非常電話子機の着信が重複したとき、保守電話子機と非常電話子の何れか一方又は両方と電話親機を通話接続する。
【００１２】
（重複着信の選択操作）
通話制御部は、保守電話子機と非常電話子機の着信が重複したとき、操作部により選択された保守電話子機と非常電話子機の何れか一方と電話親機を通話接続し、他方に対し保留音を送信する。
【００１３】
（優先度の設定による重複発信の選択）
通話制御部は、保守電話子機と非常電話子機の着信が重複したとき、予め設定された優先度に従って保守電話子機と非常電話子機の何れか一方と電話親機を通話接続し、他方に対し保留音を送信する。
【００１４】
（三者通話）
通話制御部は、保守電話子機と非常電話子機の発信が重複したとき、操作部の操作により保守電話子機、非常電話子機及び電話親機を相互に通話接続する。
【００１５】
（火災警報画面と通話操作画面）
受信機にはタッチパネル付きのディスプレイが設けられ、
受信制御部は、
火災発生時にディスプレイに火災発生と火災発生場所を示す火災警報画面を表示し、
非常電話の着信時にディスプレイに非常電話の着信と発信元を示す非常電話着信画面を表示し、
保守電話子機の着信を検出したときにディスプレイに保守電話子機の保守着信と保守電話通話釦を表示し、
通話制御部は、
非常電話通話釦の操作を検出したときに電話親機と非常電話子機を通話接続し、
保守電話通話釦の操作を検出したときに電話親機と保守電話子機を通話接続する。
【００１６】
（電話親機のハンズフリー化）
電話親機の送話器として受信機に設けられたマイクロホンを使用し、電話親機の受話器として受信機に設けられたスピーカを使用し、電話親機をハンズフリーとする。
【発明の効果】
【００１７】
（基本的な効果）
本発明は、受信機から引き出された信号回線に接続された火災感知器により火災を監視する火災報知設備に於いて、受信機に、火災感知器からの火災発報信号を受信した火災発生時に所定の火災警報処理を行う受信制御部と、受信機から引き出された保守電話回線に接続された保守電話子機からの着信を検出して通話接続する保守電話回路部と、受信機から引き出された非常電話回線に接続された非常電話子機からの着信を検出して通話接続する非常電話回路部と、保守電話回路部と非常電話回路部の各々による通話を制御すると共に、保守電話子機と非常電話子機の両方からの着信が重複したときの通話を制御する通話制御部とが設けられたため、通話していない他方の電話からの音声による着信報知を停止したり、子機へ保留音を流すことにより作業者の負担を減じることが可能となる。更に、非常電話子機又は保守電話子機との通話は同じ電話親機を使用して共通に行うことができ、場所を変えることなく通話操作も簡単且つ容易にできる。また、保守電話子機と非常電話子機の着信が重複しても、問題なく通話接続を行うことができる。
【００１８】
（保守用電話子機と非常電話子機の重複着信に対する効果）
また、通話制御部は、保守電話子機と非常電話子機の着信が重複したとき、保守電話子機と非常電話子の何れか一方又は両方と電話親機を通話接続するようにしたため、保守電話子機と非常電話子機の着信が重複しても、必要に応じて発信者を自由に選択した通話を可能とする。
【００１９】
（重複着信の選択操作による効果）
また、通話制御部は、保守電話子機と非常電話子機の着信が重複したとき、操作部により選択された保守電話子機と非常電話子機の何れか一方と電話親機を通話接続し、他方に対し保留音を送信するようにしたため、保守電話子機と非常電話子機の着信が重複しても、必要に応じて発信者の何れかを選択した通話を可能し、選択されない発信者に保留音を聞かせることで待機させることを可能とする。
【００２０】
（優先度の設定による重複発信の選択）
また、通話制御部は、保守電話子機と非常電話子機の着信が重複したとき、予め設定された優先度に従って保守電話子機と非常電話子機の何れか一方と電話親機を通話接続し、他方に対し保留音を送信するようにしたため、例えば、非常電話子機の発信に高い優先度を設定しておくことで、非常電話子機の発信者は、保守電話子機の発信と重複しても、優先的に受信機側の電話親機と通話接続して防災管理者等の話すことができる。
【００２１】
（三者通話の効果）
また、通話制御部は、保守電話子機と非常電話子機の着信が重複したとき、操作部への操作により保守電話子機、非常電話子機及び電話親機を相互に通話接続するようにしたため、非常電話子機の発信者、保守電話子機の発信者、電話親機が設けられた受信機側の防火管理者等は、着信の重複に妨げられることなく必要なやり取りを三者間で行って必要な火災対処を迅速且つ適切に行うことを可能とする。
【００２２】
（火災警報画面と通話操作画面の効果）
また、受信機にはタッチパネル付きのディスプレイが設けられ、受信制御部は、火災発生時にディスプレイに火災発生と火災発生場所を示す火災警報画面を表示し、非常電話の着信時にディスプレイに非常電話の着信と発信元を示す非常電話着信画面を表示し、保守電話子機の着信を検出したときにディスプレイに保守電話子機の保守着信と保守電話通話釦を表示し、通話制御部は、非常電話通話釦の操作を検出したときに電話親機と非常電話子機を通話接続し、保守電話通話釦の操作を検出したときに電話親機と保守電話子機を通話接続するようにしたため、受信機に設けられたディスプレイに対する火災警報画面や非常電話着信画面の表示により、非常電話子機の火災発信、保守電話子機の発信に対し、必要とする表示や操作を全て受信機のタッチパネル付きのディスプレイで行うことで、視認性と操作性を高めることができる。
【００２３】
（電話親機のハンズフリー化の効果）
また、電話親機の送話器として受信機に設けられたマイクロホンを使用し、電話親機の受話器として受信機に設けられたスピーカを使用し、電話親機をハンズフリーとするようにしたため、ディスプレイに表示された三者通話釦を画面操作することで、受信機に設けているスピーカとマイクロホンを使用した発信者との通話でき、この通話をしながら火災対処等に必要な操作を迅速且つ容易に行うことができる。
【図面の簡単な説明】
【００２４】
【図１】受信機に非常電話と保守電話の設備機能が設けられた本発明によるＲ型の火災報知設備の概要を示した説明図
【図２】受信機の外観を正面から示した説明図
【図３】通常監視画面を示した説明図
【図４】保守電話の着信があったときの通常監視画面を示した説明図
【図５】非常電話の着信があったときの非常電話着信画面を示した説明図
【図６】図５に続いて火災発報があったときの火災警報画面を示した説明図
【図７】非常電話と保守電話の着信が重複したときの非常電話着信画面を示した説明図
【図８】図７で非常電話通話釦を操作したときの非常電話着信画面を示した説明図
【図９】図７で保守電話通話釦を操作したときの非常電話着信画面を示した説明図
【図１０】三者通話釦を設けた非常電話着信画面を示した説明図
【発明を実施するための形態】
【００２５】
［火災報知設備］
図１は受信機に保守電話と非常電話の設備機能が設けられた本発明によるＲ型の火災報知設備の概要を示した説明図である。
【００２６】
（実施形態の基本的概念）
本実施形態による火災報知設備は、受信機１０から引き出された信号回線１２−１に接続されたアナログ火災感知器１４により火災を監視する火災報知設備に於いて、受信機１０に、タッチパネル付きのディスプレイ５２と、アナログ火災感知器１４からの火災発報信号を受信した火災発生時に所定の火災警報処理を行う受信制御部６２と、受信機１０から引き出された保守電話回線２４の子機接続端子２６に対する保守電話子機２８の接続による着信を検出して親機スピーカ６６と親機マイク６８を用いた電話親機と通話接続する保守電話回路部６２と、受信機１０から引き出された非常電話回線３２に接続した非常電話子機３４のフックオンによる非常電話着信を検出して受信機１０側の電話親機と通話接続すると共に、非常電話着信を受信制御部７０に通知して報知させる非常電話回路部６４と、保守電話回路部６２と非常電話回路部６４の各々による通話を制御すると共に、保守電話子機２８と非常電話子機３４の両方からの着信が重複したときの通話を制御する通話制御部７２とが設けられたものであって、従来の非常電話親機装置を別に設置する必要がないことから火災報知設備と非常電話設備の設置スペースが低減し、非常電話設備の操作に必要な火災発信や火災発信元等の表示は、受信機１０に設けたディスプレイ５２を利用することで、火災報知設備における火災発生時と同等の表示が可能となり、防災担当者等は受信機１０で非常電話子機３４又は発信機による火災発信の対処や操作を迅速且つ適切に行うことができ、更に、非常電話子機３４又は保守電話子機２８との通話は同じ親機スピーカ６６と親機マイク６８を用いたハンズフリーの電話親機を使用して共通に行うことができ、場所を変えることなく通話操作も簡単且つ容易にできるというものである。
【００２７】
また、通話制御部７２は、保守電話子機２８と非常電話子機３４の着信が重複したとき、何れか一方と電話親機の通話、又は、両方との三者通話が可能であり、複数の電話子機の着信が重複しても、必要に応じて発信者を自由に選択した通話を可能とする。以下、具体的に説明する。
【００２８】
（火災報知設備の概要）
図１に示すように、火災報知設備が設置された建物の一階の管理人室などには例えばＲ型の受信機１０が設置され、受信機１０から警戒区域に対し例えば階別の系統毎に分けて信号回線１２−１〜１２−ｎが引き出されている。なお、以下の説明では、信号回線１２−１〜１２−ｎを区別する必要がない場合は、信号回線１２という場合がある。
【００２９】
信号回線１２−１には固有のアドレスが設定された伝送機能を有する複数のアナログ火災感知器１４が接続され、また、固有のアドレスが設定された伝送機能を有する中継器１６から引き出された感知器回線１７にオンオフ火災感知器１８及び発信機２０が接続され、更に、固有のアドレスが設定された伝送機能を有するアドレッサブル発信機２２が接続されている。更に、信号回線１２−ｎには固有のアドレスが設定された伝送機能を有する中継器１６を介して防排煙機器２２が接続されている。
【００３０】
ここで、信号回線１２−１〜１２−ｎに接続されるアナログ火災感知器１４、中継器１６等の端末機器に設定される最大アドレス数は例えば２５５としており、信号回線１２には最大２５５台のアナログ火災感知器１４を含む端末機器が接続できる。
【００３１】
また、受信機１０から警戒区域に対し保守電話回線２４が引き出されており、保守電話回線２４には電話ジャックを用いた保守電話端子２６が接続され、保守電話端子２６には定期点検時に点検要員等が携帯している保守電話子機２８が電話プラグ３０により接続され、受信機１０側と通話を行う。
【００３２】
保守電話端子２６は、図示はしないが、実際は、信号回線１２−１側に設けられたアドレッサブル発信機１５及び発信機２０の中に組み込まれており、アドレッサブル発信機１５及び発信機２０の保守扉１５ａ，２０ａを開いて中の電話ジャックに保守電話子機２８の電話プラグ３０の差し込むことにより接続することができる。
【００３３】
また、受信機１０から警戒区域に対し非常電話回線３２が引き出されており、非常電話回線３２には非常電話子機２６が接続されている。非常電話子機２６は送受話器を取り上げるとフックスイッチがオンし、これにより固有の発信元アドレスを含む非常電話発信信号を受信機１０に送信し、受信機１０に着信元を示す非常電話着信を表示させる。また、非常電話子機３４を取り上げることで受信機１０側と通話することもできる。非常電話子機３４は通話機能を有する非常電話子機装置と固有の発信元アドレスを含む信号を受信機１０に送信する等の受信機と通信する機能を有する中継器に分かれて構成されても良い。
【００３４】
また、本実施形態は、火災報知設備に加え、非常用放送設備が設けられており、受信機１０と同じ管理人室等に設置された非常用放送盤３６から警戒区域に対し例えば階別の系統毎に分けて放送回線３８が引き出され、放送回線３８には放送用のスピーカ４０が接続されている。
【００３５】
（受信機の機能構成）
受信機１０には、メインＣＰＵ４２と複数のサブＣＰＵ基板４４−１〜４４−ｎが設けられ、サブＣＰＵ基板４４−１〜４４−ｎにはサブＣＰＵ４６−１〜４６−ｎと伝送部４８−１〜４８−ｎが設けられている。
【００３６】
メインＣＰＵ４２とサブＣＰＵ４４−１〜４４−ｎは、シリアル転送バス５０で接続されており、相互にデータを送受信する。なお、以下の説明では、サブＣＰＵ４６−１〜４６−ｎ及び伝送部４８−１〜４８−ｎを区別する必要がない場合はサブＣＰＵ４６及び伝送部４８という場合がある。
【００３７】
メインＣＰＵ４２には、液晶表示パネル等を用いたタッチパネル付きのディスプレイ５２が接続され、ディスプレイ５２には受信機１０による火災監視に必要な情報がそのときの受信機１０の状況に応じて表示される。ディスプレイ５２による火災監視に必要な情報には、通常監視時及び火災時に発生したイベント、運用管理に必要な情報、対処操作に必要な情報等の全ての情報、更に、受信機の運用管理や操作に必要な情報も含まれる。また、ディスプレイ５２には保守電話及び保守電話の発信情報や操作情報が表示される。
【００３８】
メインＣＰＵ４２に対して表示手段として機能するディスプレイ５２に加え、ＬＥＤ等の表示灯を用いた表示部５４が設けられる。表示部５４には火災代表灯、ガス漏れ代表灯等が設けられる。
【００３９】
また、メインＣＰＵ４２に対しては操作部５６が接続され、操作部５６には火災監視に必要な火災断定スイッチ、主音響停止スイッチ、地区音響一時停止スイッチ等の各種スイッチ等が設けられている。更に、メインＣＰＵ４２には移報部６０が接続され、移報部６０は非常電話子機３４の取り上げによる非常電話着信時に、発信元を含む非常電話着信移報信号を非常用放送盤３６に出力し、火災発生階及び直上階を放送区域に選択して非常放送を行わせる。
【００４０】
また、メインＣＰＵ４２にはプログラムの実行により機能する受信制御部７０と通話制御部７２が設けられる。
【００４１】
更に、受信機１０には、非常電話設備及び保守電話設備としての機能を実現するため、
保守電話回路部６２、非常電話回路部６４、親機スピーカ６６、親機マイク６８が設けられるが、その詳細は後の説明で明らかにされる。ここで、親機スピーカ６６は火災発生時に音響火災警報を出力する音響警報部としての機能を兼ね備える。
【００４２】
（受信機の外観）
図２は受信機の外観を正面から示した説明図である。受信機１０の盤面には、液晶表示パネル等を用いたタッチパネル付きのディスプレイ５２が配置される。ディスプレイ５２はカラー画像を画面表示し、また、タッチパネルが画面に配置されることで、画面タッチ操作による選択や入力を可能としている。なお、ディスプレイ５２は液晶表示パネル以外にＥＬパネル等の適宜の画像表示パネルが使用できる。
【００４３】
ディスプレイ５２の下側で盤面の左右中央となる利用者にとって見やすく且つ操作しやすい位置に、ガイドスイッチ７４が配置されている。ガイドスイッチ７４は照光機能を備えた照光スイッチを使用しており、照光スイッチはＬＥＤ等の表示灯を内蔵している。火災イベント発生してディスプレイ５２にガイダンス対象となる情報が表示されると、ガイドスイッチ７４の照光機能が有効となって点滅し、利用者にガイドスイッチ７４の操作を促すようにしている。
【００４４】
また、ディスプレイ５２の下側の盤面には、火災断定スイッチ７６、主音響停止スイッチ７８及び地区音響一時停止スイッチ８０が配置され、火災イベントが発生した場合の火災対処操作を可能としている。ガイドスイッチ７４の下側の盤面には小扉９０が下側を軸として前開き自在に設けられており、小扉９０の内側には、復旧スイッチを含む各種の操作スイッチが設けられている。
【００４５】
また、火災断定スイッチ７６の左側には親機マイク６８が配置され、ディスプレイ５２の横に設けられた音響孔８８の内部に設けられた図１に示す親機スピーカ６６との組み合わせにより、ハンズフリーによる電話親機を構成している。即ち、受信機１０に設けられた親機スピーカ６６が電話親機の受話器として機能し、親機マイク６８が電話親機の送話器として機能し、ハンズフリーで保守電話子機２８又は非常電話子機３４との通話を可能としている。
【００４６】
また、ディスプレイ５２の上側の盤面には火災代表灯８４とガス漏れ代表灯８６が設けられている。更に、受信機１０の盤面の下側にはプリンタ８２が配置され、受信機１０で発生したイベントを印字出力するようにしている。
【００４７】
なお、本実施形態は、親機スピーカ６６と親機マイク６８によりハンズフリーで使用する電話親機を構成しているが、図２に想像線で示すように、受信機１０の盤面に送受話器９２を設けても良い。
【００４８】
（受信機の火災監視制御）
図１に示すように、サブＣＰＵ基板４４−１のサブＣＰＵ４６−１を例にとると、伝送部４８−１に指示してアナログ火災感知器１４との間で所定の通信プロトコルに従って信号を送受信することで、火災監視制御を行っている。伝送部４８−１からアナログ火災感知器１４に対する下り信号は電圧モードで伝送している。この電圧モードの信号は、信号回線１２−１の線路電圧を例えば１８ボルトと３０ボルトの間で変化させる電圧パルスとして伝送される。
【００４９】
これに対しアナログ火災感知器１４から伝送部４８−１に対する上り信号は電流モードで伝送される。この電流モードにあっては、信号回線１２−１に伝送データのビット１のタイミングで信号電流を流し、いわゆる電流パルス列として上り信号が受信機１０に伝送される。
【００５０】
サブＣＰＵ４６−１による火災監視制御は、通常の監視中にあっては、一定周期毎に、伝送部４８−１に指示して、一括ＡＤ変換コマンドを含むブロードキャストの一括ＡＤ変換信号を送信しており、この一括ＡＤ変換信号を受信したアナログ火災感知器１４は、煙濃度又は温度をセンサデータとして検出して保持する。続いて、サブＣＰＵ４６−１は、端末アドレスを順次指定したポーリングコマンドを含む呼出信号を送信している。
【００５１】
アナログ火災感知器１４は自己アドレスに一致するアドレスを持つ呼出信号を受信すると、そのとき保持しているセンサデータを含む応答信号を伝送部４８−１に送信する。また、アナログ火災感知器１４は煙濃度又は温度が所定の火災注意レベルを超えると受信機１０の伝送部４８−１に対し火災割込み信号を送信する。
【００５２】
サブＣＰＵ４６−１は伝送部４８−１を介して火災割込み信号を受信すると、グループ検索コマンド信号を送信して火災を検出しているアナログ火災感知器１４を含むグループを特定し、続いて、グループ内検索コマンド信号を送信して火災を検出しているアナログ火災感知器１４のアドレスを特定してセンサのアナログデータを集中的に収集し、シリアル転送バス５０を介してメインＣＰＵ４２に送信する。
【００５３】
メインＣＰＵ４２はサブＣＰＵ４４−１から受信したアナログデータを所定の火災判定レベルと比較しており、アナログデータが火災判定レベルに達した場合に火災と判定し、表示部５４の火災代表灯８４を点灯し、親機スピーカ６６から火災発生を示す所定の主音響警報を出力させ、ディスプレイ５２に火災が検出された感知器アドレスに基づき火災発生場所を含む火災警報情報を表示させ、更に、移報部６０により火災発生場所を含む火災移報信号を非常用放送盤３６に出力して所定の非常放送を行わせる。
【００５４】
また、サブＣＰＵ基板４４−ｎに設けられたサブＣＰＵ４６−ｎと伝送部４８−ｎは、メインＣＰＵ４２で火災が検知された場合に予め記憶された連動情報に基づき防排煙機器２２の連動制御が行う。
【００５５】
［電話設備］
（受信機の電話回路部）
図１の受信機１０のメインＣＰＵ４２に設けられた通話制御部７２に対応して受信機１０には、保守電話回路部６２、非常電話回路部６４、親機スピーカ６６及び親機マイク６８が設けられる。受信機１０に設けられる電話親機は、受話器となる親機スピーカ６６と送話器となる親機マイク６８で構成される。以下の説明で電話親機といった場合は、親機スピーカ６６と親機マイク６８を意味し、親機スピーカ６６と親機マイク６８で構成された電話親機という場合もある。
【００５６】
保守電話回路部６２は保守電話回線２４に所定の直流電圧を印加しており、何れかの保守電話端子（電話ジャック）２６に携帯型の保守電話子機２８の電話プラグ３０が差し込まれて接続すると、このとき流れる回線電流を検出して発信を検出し、受信機１０の通話制御部７２に保守電話発信信号を出力する。保守電話発信信号を受信した通話制御部７２は、ディスプレイ５２に保守電話発信画面を表示し、保守電話呼出音を出力し、保守電話通話釦の画面操作により保守電話子機２８と電話親機を通話接続させる。
【００５７】
非常電話回路部６４は非常電話回線３２に所定の直流電圧を印加しており、何れかの非常電話子機３４が取り上げられるとフックスイッチがオンし、予め設定された発信元アドレスを含む非常電話発信信号が送信され、この非常電話発信信号を受信すると発信元アドレスを含む非常電話発信信号を受信機１０の通話制御部７２に出力する。非常電話発信信号を受信した通話制御部７２は、受信制御部７０に指示してディスプレイ５２に非常電話発信と着信元を示す非常電話着信画面を表示し、非常電話呼出音を出力し、非常電話通話釦の画面操作により非常電話子機３４と電話親機を通話接続させる。
【００５８】
また、通話制御部７２は非常電話信号を受信してから所定時間以内に移報部６０に指示して発信元を示す非常電話移報信号を非常用放送盤３６に出力し、所定の火災放送を発信元の火災階およびその上の直上階に行わせる。
【００５９】
［通話制御］
通話制御部７２は、保守電話回路部６２及び非常電話回路６４からの発信信号に基づき、電話親機との通話制御に必要な操作表示をディスプレイ５２に行い、画面操作に基づく制御を行うものであり、以下、詳細に説明する。
【００６０】
（通常監視状態の画面）
図３は受信機のディスプレイに表示される通常監視画面を示した説明図である。図３に示すように、受信機１０の通常監視状態にあっては、ディスプレイ５２に通常監視画面９４が表示される。通常監視画面９４は、正常動作中表示９６に続いて、メニュー釦９８，１００，１０２が配置され、「手順を学ぶ」、「操作する」、「情報を見る」のメニューが表示され、メニュー釦９８，１００，１０２の何れかをタッチ操作すると、各メニューに対応した情報や操作場面が表示される。
【００６１】
（保守電話着信画面）
図４は保守電話の着信があったときの通常監視画面を示した説明図である。図１に示した保守電話端子２６の何れかに、定期点検時等に点検要員が携帯している保守電話子機２８の電話プラグ３０を差し込んで保守用電話回線２４に接続すると、保守電話子機２８の接続で保守電話回線２４に流れる回線電流を受信機１０の保守電話回路部６２が検出し、メインＣＰＵ４２に設けられた通話制御部７２に保守電話発信信号を出力する。
【００６２】
保守電話回路部６２から保守電話発信信号を入力した通話制御部７２は、図４に示すように、ディスプレイ５２に表示している通常監視画面９４の下側の空き領域に、保守電話着信表示１０４、通話釦１０６及び保留釦１０８を表示する。保守電話着信表示１０８には例えば「保守電話を着信しました  通話ボタンを押すと発信元と通話できます」とするガイダンスが示される。また、保守電話回路部６２から保守電話発信信号を入力した通話制御部７２は、図１に示した親機スピーカ６６から所定の保守電話着信音（保守電話呼出音）を出力させる。
【００６３】
このような保守電話の着信を知った受信機１０側の防災管理者等は、画面表示されている通話釦１０６をタッチ操作することとなり、通話制御部７２は通話釦１０６の操作を検出し、発信元の保守電話子機２８と受信機１０側の電話親機を構成する親機スピーカ６６と親機マイク６８を通話可能な状態に接続する通話接続を行う。
【００６４】
具体的には、保守電話子機２８の送話による音声信号は保守電話回路部６２で受信され、メインＣＰＵ４２でＡＤ変換してデジタル音声信号として通話制御部７２に読み込まれ、ノイズ抑圧等の音声処理を施した後にＤＡ変換と音声増幅を行って親機スピーカ６６から出力される。
【００６５】
また、親機マイク６８からの送話による音声信号はメインＣＰＵ４２にＡＤ変換してデジタル音声信号として通話制御部７２に読み込まれ、高域強調等の所定の音声処理が施された後、ＤＡ変換によりアナログ音声信号として保守電話回路部６２に出力され、音声増幅して保守電話回線２４に送信されることで、保守電話子機２８の受話器から音声を出力させる。
【００６６】
また、通話制御部７２は、保守電話の通話接続中に、画面表示された保留釦１０８のタッチ操作を検出すると、保守電話子機２８と電話親機を構成する親機スピーカ６６と親機マイク６８との通話接続を切離し、所定の保留音信号を保守電話子機２８に送って保留音を出力させ、同時に、保留釦１０８の表示を点滅又は明滅して保留中にあることを表示させる。なお、親機スピーカ６６から必要に応じて保留音を出力しても良い。
【００６７】
保留中に、保留釦１０８を再度タッチ操作すると、これを通話制御部７２が検出し、保留を解除して保守電話子機２８と電話親機を構成する親機スピーカ６６と親機マイク６８との通話接続を再開させる。
【００６８】
保守電話の通話終了は、例えば、通話釦１０６を再度タッチ操作すると、これを通話制御部７２が検出して保守電話子機２８と電話親機を構成する親機スピーカ６６と親機マイク６８との通話接続を切離して解除する。また、保守電話子機２８を保守電話接続端子２６から外すことによる回線電流の遮断を保守電話回路部６２で検出して通話制御部７２に出力したときに、通話接続を切り離して解除する。
【００６９】
なお、保守電話の発信画面に通話終了釦を設けてタッチ操作することで通話接続を切離して解除するようにしても良いし、また、保守電話子機２８に通話釦を設け、そのオンオフ操作で通話開始と通話終了を操作しても良い。
【００７０】
（火災発生時の画面）
図５は非常電話の着信があったときの非常電話着信画面を示した説明図である。図１の火災報知設備において、監視員等が巡回中に火災を発見した場合には、近くに設置されている非常電話子機３４を取り上げるとフックスイッチがオンし、非常電話回線３２を介して受信機１０に、発信元アドレスを含む非常電話発信信号を送信する。受信機１０の非常電話回路部６４は、非常電話子機３４からの非常電話発信信号を受信するとこれをメインＣＰＵ４２に設けられた通話制御部７２に出力する。
【００７１】
非常電話子機３４からの非常電話発信信号を受信した通話制御部７２は、図４に示す非常電話着信画面１１０をディスプレイ６２に表示する。非常電話着信画面１１０は、非常電話着信表示１１２として例えば「非常電話を着信しました  画面下部の状況を確認し、対処していください」を表示し、メニュー釦９８，１００，１０２の下に非常電話着信表
非常電話着信表示１１６には例えば「非常電話を着信しました  通話ボタンを押すと発信元と通話できます」とするガイダンスが表示され、また発信地区と時刻を示す「１階  南４地区  １２：０７：２５」が表示される。このような非常電話の着信を知った受信機１０側の防災管理者等は、現場確認のために画面表示されている通話釦１１８をタッチ操作することとなり、通話制御部７２は通話釦１１８の操作を検出し、発信元の非常電話子機３４と受信機１０側の電話親機を構成する親機スピーカ６６と親機マイク６８を通話可能な状態に接続する通話接続を行う。
【００７２】
具体的には、非常電話子機３４の送話による音声信号は非常電話回路部６４で受信され、メインＣＰＵ４２でＡＤ変換してデジタル音声信号として通話制御部７２に読み込まれ、ノイズ抑圧等の音声処理を施した後にＤＡ変換と音声増幅を行って親機スピーカ６６から出力される。
【００７３】
また、親機マイク６８からの送話による音声信号はメインＣＰＵ４２にＡＤ変換してデジタル音声信号として通話制御部７２に読み込まれ、高域強調等の所定の音声処理が施された後、ＤＡ変換によりアナログ音声信号として非常電話回路部６４に出力され、音声増幅して非常電話回線３２に送信されることで、非常電話子機３４の受話器から音声を出力させる。
【００７４】
このような非常電話を使用した発信元との通話により火災が確認された場合、防災管理者等は受信機１０に設けられた図２に示す火災断定スイッチ７６を操作し、受信制御部７０は火災断定を検出し、地区音響一斉鳴動、連動制御等の所定の火災断定処理を行うことになる。
【００７５】
また、通話制御部７２は、非常電話の通話接続中に、画面表示された保留釦１２０のタッチ操作を検出すると、非常電話子機３４と電話親機を構成する親機スピーカ６６と親機マイク６８との通話接続を切離し、所定の保留音信号を非常電話子機３４に送って保留音を出力させ、同時に、保留釦１２０の表示を点滅又は明滅して保留中にあることを表示させる。なお、親機スピーカ６６から必要に応じて保留音を出力しても良い。
【００７６】
保留中に、保留釦１２０を再度タッチ操作すると、これを通話制御部７２が検出し、保留を解除して非常電話子機３４と電話親機を構成する親機スピーカ６６と親機マイク６８との通話接続を再開させる。
【００７７】
非常電話の通話終了は、例えば、通話釦１１８を再度タッチ操作すると、これを通話制御部７２が検出して非常電話子機３４と電話親機を構成する親機スピーカ６６と親機マイク６８との通話接続を切離して解除する。また、非常電話子機３４をフックに戻すことでフックスイッチがオフとなり、回線電流の遮断を非常電話回路部６４で検出して通話制御部７２に出力することで通話接続を切り離して解除する。
【００７８】
（非常電話着信と非常用放送の連動）
図１の受信機１０に設けられた通話制御部７２は、非常電話子機３４の取り上げによる火災発信信号を受信した場合、所定時間以内、例えば１０秒以内に、移報部６０に指示して発信地区を含む非常電話発信移報信号を非常放送設備３６に出力する。
【００７９】
受信機１０から非常電話発信移報信号を受信した非常放送設備３６は、発信地区となる火災発生階およびその直上階を放送区域に指定して火災放送を行う。この火災放送は、例えば「「火事です。火事です。１階南地区で火災が発生しました。落ち着いて避難してください。」とする。また、非常放送設備３６は、非常放送の開始から所定時間が経過すると、全ての放送区域に非常放送を行う全館一斉放送とする。
【００８０】
（複数着信の非常電話着信画面）
図６は図５に続いて非常電話の着信があったときの非常電話着信画面を示した説明図である。図１の火災報知設備において、非常電話子機３４の取り上げによる非常電話発信が行われた後に、別の非常電話子機３４の取り上げによる非常電話発信が行われた場合、非常電話発信地区１１６の下には、新たな非常電話発信表示１１６−２として例えば「非常電話を着信しました  通話ボタンを押すと発信元と通話できます」とするガイダンスが発信地区「１階  南３地区  １２：１０：１３」と共に表示され、併せて、通話釦１１８−２と保留釦１２０−２が表示される。
【００８１】
このような新たな非常電話の着信を知った受信機１０側の防災管理者等は、画面表示されている通話釦１１８−２をタッチ操作することにより別の非常電話子機３４と受信機１０側の電話親機を構成する親機スピーカ６６と親機マイク６８を通話接続し、必要な通話連絡を行うことができる。
【００８２】
［非常電話と保守電話の発信重複］
図７は非常電話と保守電話の着信が重複したときの非常電話着信画面を示した説明図、図８は図７で非常通話釦を操作したときの非常電話着信画面を示した説明図、図９は図７で保守通話釦を操作したときの非常電話着信画面を示した説明図である。
【００８３】
（重複発信の画面表示）
図１の火災報知設備において、定期的な保守点検中に火災が発生したような場合には、保守電話と非常電話の両方の着信が行われることが想定される。
【００８４】
この場合、巡回中の監視員が火災を発見して非常電話子機３４を取り上げることで非常電話発信信号が受信機１０に送信され、また、火災を発見した点検員が携帯している保守電話子機２８の電話プラグ３０を近くの保守電話端子２６の電話ジャックに挿入することで受信機１０に保守電話発信信号が送信され、受信機１０の通話制御部７２は、図７に示す非常電話着信画面１１０をディスプレイ５２に表示する。
【００８５】
図７の非常電話着信画面１１０は、図５に示した非常電話着信画面１１０に、図４に示したと同じ保守電話発信表示１０４、通話釦１０６及び保留釦１０８を追加したものであり、受信機１０側の防災管理者等は、必要に応じて非常電話と保守電話の何れか一方を選択して通話することができる。
【００８６】
例えば、防災管理者等が非常電話の通話釦１１８をタッチ操作したとすると、通話制御部７２は、図８に示す非常電話着信画面１１０に切り替わり、発信元の非常電話子機３４と電話親機を構成する親機スピーカ６６と親機マイク６８を通話接続して非常電話による通話を可能とし、同時に、保守電話子機２８に対しては保留音信号を送信して保留音を出力させる制御を行う。また、通話制御部７２は、非選択となった保守電話発信表示１０４、通話釦１０６及び保留釦１０８を、点線で示すように、非常電話の通話接続が解除されまでの間、画面に薄く表示させる。
【００８７】
また、防災管理者等が保守電話の通話釦１０６をタッチ操作したとすると、通話制御部７２は、図９に示す非常電話着信画面１１０に切り替わり、発信元の保守電話子機２８と電話親機を構成する親機スピーカ６６と親機マイク６８を通話接続して非常電話による通話を可能とし、同時に、非常電話子機３４に対しては保留音信号を送信して保留音を出力させる制御を行う。また、通話制御部７２は、非選択となった非常電話発信表示１１６、通話釦１１８及び保留釦１２０を、点線で示すように、保守電話の通話接続が解除されまでの間、画面に薄く表示させる。
【００８８】
（優先度による重複発信の選択）
また、通話制御部７２は、保守電話子機２８と非常電話子機３４の着信が重複したとき、予め設定された優先度に従って保守電話子機２８と非常電話子機３４の何れか一方と電話親機を通話接続し、他方に対し保留音を送信する制御を行うようにしても良い。
【００８９】
このため所定の設定操作により、通話制御部７２に、例えば、非常電話子機３４の発信に高い優先度を設定しておく。この場合、非常電話と保守電話の発信が重複した場合、図８の火災発報画面１１０に示すように、通話制御部７２は、高い優先度を設定した非常電話着信表示１１６、通話釦１１８及び保留釦１２０を画面表示し、同時に、低い優先度を設定している保守電話発信表示１０４、通話釦１０６及び保留釦１０８を、点線で示すように、非常電話の通話接続が解除されまでの間、画面に薄く表示させる。同時に、通話制御部７２は優先度の高い非常電話について、発信元の非常電話子機３４と電話親機を構成する親機スピーカ６６と親機マイク６８を自動的に通話接続し、発信元との通話を可能とする制御を行う。
【００９０】
勿論、必要に応じて保守電話に高い優先度を設定し、非常電話に低い優先度を設定しても良い。
【００９１】
非常電話を優先させるメリットは下記のとおりである。非常電話は火災通報と同様の意味を持ち、非常放送盤３６より非常放送を行わせる。そのため非常電話を優先することで非常電話からの火災通報を優先可能となる。
【００９２】
保守電話を優先させるメリットは下記のとおりである。感知器発報時に監視員は現場に向かい状況を受信機に連絡する場合に保守電話を用いる。そのため保守電話を優先させることで現場の監視員からの連絡を優先可能となる。
【００９３】
上記のとおり、感知器発報時には保守電話を優先させるメリットが生じるため、感知器発報又はプリアラームが出力されているときには保守電話を優先とし通常時は非常電話を優先させるように、監視員が運用しても良いし又は受信機が設定されてもよい。
【００９４】
（三者通話）
図１０は三者通話釦を設けた非常電話着信画面を示した説明図である。受信機１０の通話制御部７２は、非常電話と保守電話の発信が重複した場合、図１０に示す三者通話釦１３０を設けた非常電話着信画面１１０をディスプレイ５２に表示する。
【００９５】
この非常電話着信画面１１０は図７に示した非常電話着信画面１１０の保留釦１０８，１２０に代えて新たに三者通話釦１３０を配置している。
【００９６】
受信機１０側の防災監視者等は、非常電話と保守電話の着信が重複して図１０の非常電話着信画面１１０が表示された場合、三者通話釦１３０をタッチ操作すると、これを通話制御部７２が検出し、発信元となる非常電話子機３４、保守電話子機２８及び電話親機を構成する親機スピーカ６６と親機マイク６８を相互に通話接続して三者通話を可能とする制御を行う。
【００９７】
この三者通話接続は、親機マイク６６からの音声信号を親機音声信号、非常電話子機３４からの音声信号を非常電話音声信号、保守電話子機２８からの音声信号を保守電話音声信号とすると次のようになる。
【００９８】
親機マイク６８からの親機音声信号は、ＡＤ変換によりメインＣＰＵ４２に読み込まれた後にＤＡ変換して保守電話回路部６２と非常電話回路部６４に分けられ、保守電話回線２４と非常電話回線３２に送信される。
【００９９】
また、非常電話子機３４からの非常電話音声信号はＡＤ変換してメインＣＰＵ４２に読み込まれ後、ＤＡ変換して親スピーカ６６に出力されると共に、親機マイク６８からのＡＤ変換された親機音声信号と合成され、ＤＡ変換により保守電話回路部６２に出力され、保守電話回線２４に送信される。
【０１００】
また、保守電話子機３４からの保守電話音声信号はＡＤ変換してメインＣＰＵ４２に読み込まれ後、ＤＡ変換して親スピーカ６６に出力されると共に、親機マイク６８からのＡＤ変換された親機音声信号と合成され、ＤＡ変換により非常電話回路部６２に出力され、非常電話回線２４に送信される。
【０１０１】
このような三者通話接続による受信機１０の電話親機では、非常電話子機３４と保守電話子機２８の発信者の声を聞くことができ、非常電話子機３４では電話親機と保守電話子機２８の発信者の声を聴くことができ、更に、保守電話子機２８では電話親機と非常電話子機３４の発信者の声を引くことができ、三者が一同に会したと同じ通話連絡が可能となる。
【０１０２】
なお、非常電話と保守電話の三者通話接続は、メインＣＰＵ５２による音声信号の分離と合成によらず、スイッチ切替え等のハードウェアによる音声信号の分離と合成にしても良い。
【０１０３】
［本発明の変形例］
（非常電話と保守電話の選択）
上記の実施形態は、保守電話子機と非常電話子機の着信が重複したときディスプレイの操作により通話接続する対象を設定しているがこれに限らない。
【０１０４】
親機側の音声入力部を保守電話用と非常電話用にそれぞれ用意し、いずれかの操作により通話接続する対象を選択するようにしても良い。保守電話は保守電話用送話器のジャックへの差込により操作を認識し、非常電話は非常電話用送話器のフックアップにより操作を認識する。
【０１０５】
また、保守電話子機と非常電話子機のいずれを優先の通話対象とするか選択する物理スイッチを受信機の盤内に配置しても良い。
【０１０６】
また、保守電話子機と非常電話子機の受話については同時に行い、受信機からの送話についてのみ切り替えるようにしても良い。
【０１０７】
（非常電話と保守電話の着信表示）
上記の実施形態は、保守電話子機と非常電話子機の着信はディスプレイにより表示しているがこれに限らない。
【０１０８】
例えば、非常電話子機の着信はディスプレイで表示し、保守電話の着信は盤内に配置された保守電話灯により表示するようにしても良い。非常電話子機は固有の発信元アドレスを含む非常電話発信信号を送信するため設置場所を認識可能であるためディスプレイで発信元を示すことが好適である。
【０１０９】
（保守電話と非常電話の通話）
受信機を含めた三者間通話でなく、保守電話と非常電話のみで二者通話できるようにしても良い。
【０１１０】
（非常放送の一時連動停止）
受信機は非常電話着信時に発信元を含む非常電話着信移報信号を非常用放送盤３６に出力し、火災発生階及び直上階を放送区域に選択して非常放送を行わせるが、この移報出力を行わせない連動停止操作を可能としても良い。全ての非常電話着信の連動停止操作を一つの操作で行うものであっても良いし、受信した非常電話毎に連動停止操作を行うものであっても良い。また、その両方を可能としても良い。
【０１１１】
（受信機からの非常用放送）
受信機と非常用放送盤の間に音声信号を送信する回線を接続し、受信機から非常用放送盤に音声信号を送信して非常用放送を行わせるようにしても良い。これにより、非常電話子機又は保守電話子機から非常放送を行うことを可能とする。
【０１１２】
（電話親機）
図２に想像線で示したように、受信機１０に送受話器９２を設けた場合の画面表示は、電話親機を親機スピーカ６６と親マイク６８で構成してハンズフリーとした場合と同じであり、発信呼出に対し送受話器９２を取り上げ、画面表示された通話釦をタッチ操作することで、発信者との通話を可能とする。
【０１１３】
（Ｐ型受信機）
上記の実施形態は、Ｒ型の受信機からの信号回線を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備についても、同様に、保守電話と非常電話の設備機能を持たせることで、従来の非常電話親機装置を別に設置する必要がないことから火災報知設備と非常電話設備の設置スペースが低減し、非常電話設備の操作に必要な火災発信や火災発信元等の表示は、受信機に設けたディスプレイを利用することで、火災報知設備の発信機による火災発信及び発信元と同等の表示が可能となり、防災担当者等は受信機で非常電話子機又は発信機による火災発信の対処や操作を迅速且つ適切に行うことができ、更に、非常電話子機又は保守電話子機との通話は同じ電話親機を使用して共通に行うことができ、場所を変えることなく通話操作も簡単且つ容易にできる。
【０１１４】
（自動放送機能）
また、上記の実施形態は、非常電話の火災発信に非常用放送設備による非常放送を連動させているが、非常用放送設備が設置されていない防火対象物の火災報知設備について、上記の実施形態による非常電話設備と保守電話設備の機能を設けても良い。
【０１１５】
（その他）
また、本発明はその目的と利点を損なうことのない適宜の変形を含み、更に上記の実施形態に示した数値による限定は受けない。
【符号の説明】
【０１１６】
１０：受信機
１２−１〜１２−ｎ：信号回線
１４：アナログ火災感知器
１５：アドレッサブル発信機
１６：中継器
１７：感知器回線
１８：オンオフ火災感知器
２０：発信機
２２：防排煙機器
２４：保守電話回線
２６：保守電話端子
２８：保守電話子機
３０：電話プラグ
３２：非常電話回線
３４：非常電話子機
３６：非常放送設備
３８：放送回線 
４０：スピーカ
４２：メインＣＰＵ
４４−１〜４４−３：サブＣＰＵ基板
４６−１〜４６−ｎ：サブＣＰＵ
４８−１〜４８−ｎ：伝送部
５２：ディスプレイ
５４：表示部
５６：操作部
６０：移報部
６２：保守電話回路部
６４：非常電話回路部
６６：親機スピーカ
６８：親機マイク
７０：受信制御部
７２：通話制御部
７４：ガイドスイッチ
７６：火災断定スイッチ
７８：主音響停止スイッチ
８０：地区音響一時停止スイッチ
８２：プリンタ
８４：火災代表灯
８６：ガス漏れ代表灯
８８：音響孔
９２：送受話器
９４：通常監視画面
９６：正常動作中表示
９８，１００，１０２：メニュー釦
１０４：保守電話発信表示
１０６，１１８：通話釦
１０８，１２０：保留釦
１１０，１２２：非常電話着信画面
１１２：非常電話着信表示
１１６，１１６−２：非常電話着信表示
１３０：三者通話釦
【図１】
2020119282.tif 000003
【図２】
2020119282.tif 000004
【図３】
2020119282.tif 000005
【図４】
2020119282.tif 000006
【図５】
2020119282.tif 000007
【図６】
2020119282.tif 000008
【図７】
2020119282.tif 000009
【図８】
2020119282.tif 000010
【図９】
2020119282.tif 000011
【図１０】
2020119282.tif 000012